(57)【特許請求の範囲】
【請求項１】
ラジオ・アクセス・ネットワークからの信号獲得を最適化するモバイル・デバイスのための方法であって、
ラジオ・アクセス・ネットワーク信号を求めてラジオ周波数スペクトルをスキャンすることと、
第１のチャネル帯域幅を有する第１のネットワーク・タイプの複数のチャネルに対応する複数の信号を検出することと、
前記複数のチャネルのおのおのにおいて検出されたおのおのの信号の電力レベルを判定することと、
第１の周波数範囲内で実質的に等しい電力を有する前記複数の信号のうちの何れかを破棄し、前記複数の信号のうちの第１の残りのセットを規定することと、ここで、前記第１の周波数範囲は、第２のネットワーク・タイプの第２のチャネル帯域幅に対応する、
前記複数の信号の第２の残りのセットを規定するために前記第１のネットワーク・タイプに関連付けられた既知のチャネル間隔を表出しない前記複数の信号の第１の残りのセットの何れかを破棄することと、
前記判定された電力レベルに基づいて、前記複数の信号のうちの第２の残りのセットをランク付けすることと、
前記ランク付けに基づいて、獲得のために、前記複数の信号のうちの第２の残りのセットのうちの１つを選択することと、を備える方法。
【請求項２】
前記検出することはさらに、２００ｋＨｚの第１のチャネル帯域幅を有するＧＳＭネットワークの複数の絶対ラジオ周波数チャンネル番号（ＡＲＦＣＮ：Absolute Radio Frequency Channel Numbers）に対応する複数の信号を検出することを備え、
前記第２のチャネル帯域幅は、１．２５ＭＨｚよりも広い、請求項１に記載の方法。
【請求項３】
新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行すること、をさらに備える請求項１に記載の方法。
【請求項４】
前記検出することはさらに、２００ｋＨｚの第１のチャネル帯域幅を有するＧＳＭネットワークの複数の絶対ラジオ周波数チャンネル番号（ＡＲＦＣＮ）に対応する複数の信号を検出することを備え、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１に記載の方法。
【請求項５】
前記第１の周波数範囲を決定することと、
前記第１の周波数範囲が、複数の第２のネットワーク・タイプのうちの１つの、複数の第２のチャネル帯域幅のうちの１つに対応するかを判定することと、をさらに備え、
前記複数の第２のネットワーク・タイプのおのおのは、異なるタイプの非ＧＳＭネットワークを備える、請求項１に記載の方法。
【請求項６】
前記第１の周波数範囲と前記第２のチャネル帯域幅との間の相関に基づいて、前記第２のネットワーク・タイプを識別すること、をさらに備える請求項１に記載の方法。
【請求項７】
通信デバイスであって、
プロセッサと、前記プロセッサに接続された通信構成要素とを備え、
前記プロセッサは、
ラジオ・アクセス・ネットワーク信号を求めてラジオ周波数スペクトルをスキャンし、
第１のチャネル帯域幅を有する第１のネットワーク・タイプの複数のチャネルに対応する複数の信号を検出し、
前記複数のチャネルのおのおのにおいて検出されたおのおのの信号の電力レベルを判定し、
第１の周波数範囲内で実質的に等しい電力を有する複数の信号のうちの何れかを破棄し、前記複数の信号のうちの第１の残りのセットを規定し、ここで、前記第１の周波数範囲は、第２のネットワーク・タイプの第２のチャネル帯域幅に対応する、
前記複数の信号の第２の残りのセットを規定するために前記第１のネットワーク・タイプに関連付けられた既知のチャネル間隔を表出しない前記複数の信号の第１の残りのセットの何れかを破棄し、
前記判定された電力レベルに基づいて、前記複数の信号のうちの第２の残りのセットをランク付けし、
前記ランク付けに基づいて、獲得のために、前記複数の信号のうちの第２の残りのセットのうちの１つを選択する、ように構成された通信デバイス。
【請求項８】
複数の信号を検出するために、前記プロセッサはさらに、２００ｋＨｚの第１のチャネル帯域幅を有するＧＳＭネットワークの複数の絶対ラジオ周波数チャンネル番号（ＡＲＦＣＮ）に対応する複数の信号を検出するように構成され、
前記第２のチャネル帯域幅は、１．２５ＭＨｚよりも広い、請求項７に記載のデバイス。
【請求項９】
前記プロセッサはさらに、新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行するように構成された、請求項７に記載のデバイス。
【請求項１０】
複数の信号を検出するために、前記プロセッサはさらに、
２００ｋＨｚの第１のチャネル帯域幅を有するＧＳＭネットワークの複数の絶対ラジオ周波数チャンネル番号に対応する複数の信号を検出するように構成され、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項７に記載のデバイス。
【請求項１１】
前記プロセッサはさらに、
前記第１の周波数範囲を決定し、
前記第１の周波数範囲が、複数の第２のネットワーク・タイプのうちの１つの、複数の第２のチャネル帯域幅のうちの１つに対応するかを判定する、ように構成され、
前記複数の第２のネットワーク・タイプのおのおのは、異なるタイプの非ＧＳＭネットワークを備える、請求項７に記載のデバイス。
【請求項１２】
前記プロセッサはさらに、前記第１の周波数範囲と前記第２のチャネル帯域幅との間の相関に基づいて、前記第２のネットワーク・タイプを識別するように構成された、請求項７に記載のデバイス。
【請求項１３】
コンピュータに対して、ラジオ・アクセス・ネットワーク信号を求めてラジオ周波数スペクトルをスキャンさせるための命令と、
前記コンピュータに対して、第１のチャネル帯域幅を有する第１のネットワーク・タイプの複数のチャネルに対応する複数の信号を検出させるための命令と、
前記コンピュータに対して、前記複数のチャネルのおのおのにおいて検出されたおのおのの信号の電力レベルを判定させるための命令と、
前記コンピュータに対して、第１の周波数範囲内で実質的に等しい電力を有する複数の信号のうちの何れかを破棄し、前記複数の信号のうちの第１の残りのセットを規定させるための命令と、ここで、前記第１の周波数範囲は、第２のネットワーク・タイプの第２のチャネル帯域幅に対応する、
前記コンピュータに対して、前記複数の信号の第２の残りのセットを規定するために前記第１のネットワーク・タイプに関連付けられた既知のチャネル間隔を表出しない前記複数の信号の第１の残りのセットの何れかを破棄させるための命令と、
前記コンピュータに対して、前記判定された電力レベルに基づいて、前記複数の信号のうちの第２の残りのセットをランク付けさせるための命令と、
前記コンピュータに対して、前記ランク付けに基づいて、獲得のために、前記複数の信号のうちの第２の残りのセットのうちの１つを選択させるための命令と、を記憶したコンピュータ読取可能な記憶媒体。
【請求項１４】
前記命令はさらに、
前記コンピュータに対して、２００ｋＨｚの第１のチャネル帯域幅を有するＧＳＭネットワークの複数の絶対ラジオ周波数チャンネル番号（ＡＲＦＣＮ）に対応する複数の信号を検出させるための命令を含み、
前記第２のチャネル帯域幅は、１．２５ＭＨｚよりも広い、請求項１３に記載のコンピュータ読取可能な記憶媒体。
【請求項１５】
前記コンピュータに対して、新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行させるための命令をさらに記憶した、請求項１３に記載のコンピュータ読取可能な記憶媒体。
【請求項１６】
前記命令はさらに、
前記コンピュータに対して、２００ｋＨｚの第１のチャネル帯域幅を有するＧＳＭネットワークの複数の絶対ラジオ周波数チャンネル番号（ＡＲＦＣＮ）に対応する複数の信号を検出させるための命令を含み、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１３に記載のコンピュータ読取可能な記憶媒体。
【請求項１７】
前記コンピュータに対して、前記第１の周波数範囲を決定させるための命令と、
前記コンピュータに対して、前記第１の周波数範囲が、複数の第２のネットワーク・タイプのうちの１つの、複数の第２のチャネル帯域幅のうちの１つに対応するかを判定させるための命令と、をさらに記憶し、
前記複数の第２のネットワーク・タイプのおのおのは、異なるタイプの非ＧＳＭネットワークを備える、請求項１３に記載のコンピュータ読取可能な記憶媒体。
【請求項１８】
前記コンピュータに対して、前記第１の周波数範囲と前記第２のチャネル帯域幅との間の相関に基づいて、前記第２のネットワーク・タイプを識別させるための命令、をさらに記憶した請求項１３に記載のコンピュータ読取可能な記憶媒体。
【請求項１９】
装置であって、
ラジオ・アクセス・ネットワーク信号を求めてラジオ周波数スペクトルをスキャンする手段と、
第１のチャネル帯域幅を有する第１のネットワーク・タイプの複数のチャネルに対応する複数の信号を検出する手段と、
前記複数のチャネルのおのおのにおいて検出された信号の電力レベルを判定する手段と、
第１の周波数範囲内で実質的に等しい電力を有する複数の信号のうちの何れかを破棄し、前記複数の信号のうちの第１の残りのセットを規定する手段と、ここで、前記第１の周波数範囲は、第２のネットワーク・タイプの第２のチャネル帯域幅に対応する、
前記複数の信号の第２の残りのセットを規定するために前記第１のネットワーク・タイプに関連付けられた既知のチャネル間隔を表出しない前記複数の信号の第１の残りのセットの何れかを破棄する手段と、
前記判定された電力レベルに基づいて、前記複数の信号のうちの第２の残りのセットをランク付けする手段と、
前記ランク付けに基づいて、獲得のために、前記複数の信号のうちの第２の残りのセットのうちの１つを選択する手段と、を備える装置。
【請求項２０】
前記検出する手段はさらに、２００ｋＨｚの第１のチャネル帯域幅を有するＧＳＭネットワークの複数の絶対ラジオ周波数チャンネル番号（ＡＲＦＣＮ）に対応する複数の信号を検出する手段を備え、
前記第２のチャネル帯域幅は、１．２５ＭＨｚよりも広い、請求項１９に記載の装置。
【請求項２１】
新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行する手段、をさらに備える請求項１９に記載の装置。
【請求項２２】
前記検出する手段はさらに、２００ｋＨｚの第１のチャネル帯域幅を有するＧＳＭネットワークの複数の絶対ラジオ周波数チャンネル番号（ＡＲＦＣＮ）に対応する複数の信号を検出する手段を備え、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１９に記載の装置。
【請求項２３】
前記第１の周波数範囲を決定する手段と、
前記第１の周波数範囲が、複数の第２のネットワーク・タイプのうちの１つの、複数の第２のチャネル帯域幅のうちの１つに対応するかを判定する手段と、をさらに備え、
前記複数の第２のネットワーク・タイプのおのおのは、異なるタイプの非ＧＳＭネットワークを備える、請求項１９に記載の装置。
【請求項２４】
前記第１の周波数範囲と前記第２のチャネル帯域幅との間の相関に基づいて、前記第２のネットワーク・タイプを識別する手段、をさらに備える請求項１９に記載の装置。
【発明の詳細な説明】
【技術分野】
【０００１】
本開示は、一般に、無線通信の分野に関し、さらに詳しくは、無線システム獲得のためのデバイスおよび方法に関する。
【背景技術】
【０００２】
ラジオ・アクセス・ネットワーク（ＲＡＮ）としても知られている無線通信システムは、例えばインターネットのようなパケット交換ネットワークや、例えば音声、データ、マルチメディア、ウェブ・ブラウジングおよびその他のようなさまざまな通信サービスおよびコンテンツへの無線アクセスをモバイル・デバイス・ユーザに提供する。これらの無線通信システムは、利用可能なシステム・リソース（例えば帯域幅および送信電力）を共有することにより、複数のモバイル・デバイスとの通信をサポートすることができる多元接続システムでありうる。このような多元接続システムの例は、例えばグローバル移動体通信システム（ＧＳＭ（登録商標））のような時分割多元接続（ＴＤＭＡ）システムと、符号分割多元接続（ＣＤＭＡ）システムと、周波数分割多元接続（ＦＤＭＡ）システムと、直交周波数分割多元接続（ＯＦＤＭＡ）システムと、ＷＣＤＭＡシステム、ＨＳＰＡシステム、ＨＳＵＰＡシステム、３ＧＰＰロング・ターム・イボリューション（ＬＴＥ）システム等を含むユニバーサル・モバイル・テレコミュニケーション・システムとを含む。
【０００３】
ＧＳＭは、現在、世界で最も一般的な通信システムのうちの１つである。ＧＳＭラジオ・アクセス・ネットワークは、多くの異なる周波数帯域で動作する。例えば、第２世代（２Ｇ）ＧＳＭ  ＲＡＮは、９００ＭＨｚ帯域または１８００ＭＨｚ帯域で動作する。ＧＳＭイボリューション（ＥＤＧＥ）システムのためのエンハンスト・データ・レートを含む第３世代（３Ｇ）ＧＳＭ  ＲＡＮは、８５０ＭＨｚ帯域および１９００ＭＨｚ帯域で動作する。例えばｃｄｍａ２０００、ＷＣＤＭＡ、ＥＶ−ＤＯ、およびＷｉＭＡＸのようなその他多くの無線通信システムが、ＧＳＭネットワークと同じ周波数スペクトルで展開され、しばしば、ＧＳＭネットワークの動作における干渉を引き起こす。例えば、他のネットワークが同じ帯域で展開されている場合、これらのネットワークの電力は、ＧＳＭネットワークの電力よりも高くなるであろうことがありえる。このような場合では、ＧＳＭサービスの獲得を試みるモバイル・デバイスは、ＧＳＭ信号を発見する前に先ず、他のシステムからの信号を分析するので、ＧＳＭサービスを発見するための時間が長くなる。したがって、同じスペクトルで動作する並列する無線通信システムの存在下におけるＧＳＭシステム獲得手順を改善するニーズがある。
【発明の概要】
【０００４】
以下は、マルチ・システム無線通信システムにおける無線システム獲得の１または複数の態様の簡略化された概要を表す。この概要は、考慮されるすべての態様の広範な概観ではなく、本発明の重要な要素あるいは決定的な要素を特定することも、これら態様のいずれかまたはすべての範囲を線引きすることも意図されていない。その唯一の目的は、後に示されるより詳細な記載に対する前置きとして、簡略化された形式で１または複数の態様のいくつかの概念を表すことである。
【０００５】
ラジオ・アクセス・ネットワーク（ＲＡＮ）信号獲得のためのデバイス、方法、および、コンピュータ・プログラム製品が開示される。１つの態様では、モバイル通信デバイスは、ＲＡＮ信号のためのラジオ周波数スペクトルをスキャンし、第１のチャネル帯域幅を有する第１のネットワーク・タイプの複数のチャネルに対応する複数の信号を検出する。モバイル・デバイスはその後、複数のチャネルのおのおのにおいて検出された信号の電力レベルを判定し、第１の周波数範囲内で実質的に等しい電力を有する複数の信号のうちの何れかを破棄して、複数の信号のうちの残りのセットを規定する。第１の周波数範囲は、第２のネットワーク・タイプの第２のチャネル帯域幅に対応し、第２のチャネル帯域幅は、第１のチャネル帯域幅よりも広い。モバイル・デバイスはその後、判定された電力レベルに基づいて、複数の信号のうちの残りのセットをランク付けし、このランク付けに基づいて、獲得のために、複数の信号のうちの残りのセットのうちの１つを選択する。
【０００６】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【０００７】
本発明の開示された態様は、開示された態様を、限定するのではなく、例示するために提供された、同一符番が同一要素を示す添付図面と連携して以下に記載されるだろう。
【図１】図１は、本明細書に開示された無線システム獲得のメカニズムの態様を利用する無線通信システムの例示である。
【図２】図２は、ＧＳＭシステムとＷＣＤＭＡシステムのための周波数帯域のテーブルの例示である。
【図３】図３は、無線システム獲得のための方法の例の例示である。
【図４】図４は、無線システム獲得のための方法の別の例示である。
【図５】図５は、本明細書に開示された無線システム獲得のメカニズムの態様を実施するモバイル・デバイスの例の例示である。
【図６】図６は、本明細書に開示された無線システム獲得のメカニズムの態様を実施するシステムの例の例示である。
【図７】図７は、本明細書に開示された無線システム獲得のメカニズムの態様を利用する無線通信システムの例の例示である。
【発明を実施するための形態】
【０００８】
マルチ・システム無線通信環境における無線システム獲得のための方法は、例えばＴＤＭＡ、ＣＤＭＡ、ＦＤＭＡ、ＯＦＤＭＡ、およびＳＣ−ＦＤＭＡのようなさまざまなラジオ・アクセス技術（ＲＡＴ）に関連して使用されうる。「システム」、「ネットワーク」という用語はしばしば置換可能に使用される。用語「ラジオ・アクセス技術」、「ＲＡＴ」、「ラジオ技術」および「エア・インタフェース」もまたしばしば置換可能に使用される。ＴＤＭＡシステムは、ＧＳＭまたはＥＤＧＥを含みうる。ＣＤＭＡシステムは、ユニバーサル地上ラジオ・アクセス（ＵＴＲＡ）、ｃｄｍａ２０００、およびその他のラジオ技術を含みうる。ＵＴＲＡは、ＷＣＤＭＡおよびＣＤＭＡのその他の変形を含んでいる。ｃｄｍａ２０００は、ＩＳ−２０００規格、ＩＳ−９５規格、およびＩＳ−８５６規格をカバーする。ＯＦＤＭＡシステムは、イボルブドＵＴＲＡ（Ｅ−ＵＴＲＡ）、ウルトラ・モバイル・ブロードバンド（ＵＭＢ）、ＩＥＥＥ  ８０２．１６、ＩＥＥＥ  ８０２．２０、フラッシュ−ＯＦＤＭ（登録商標）．ＲＴＭ等を含みうる。ＵＴＲＡおよびＥ−ＵＴＲＡは、ユニバーサル・モバイル・テレコミュニケーション・システム（ＵＭＴＳ）の一部である。ロング・ターム・イボリューション（ＬＴＥ）は、Ｅ−ＵＴＲＡを利用するＵＭＴＳの最新のリリースである。ＧＳＭ（登録商標）、ＵＴＲＡ、Ｅ−ＵＴＲＡ、ＵＭＴＳ、およびＬＴＥは、「第３世代パートナシップ計画」（３ＧＰＰ）と命名された組織からの文書に記載されている。ｃｄｍａ２０００およびＵＭＢは、「第３世代パートナシップ計画プロジェクト２」（３ＧＰＰ２）と命名された組織からの文書に記載されている。これらさまざまなラジオ・アクセス技術および通信規格が、当該技術分野において知られている。
【０００９】
マルチ・システム無線通信環境における無線システム獲得のための方法のさまざまな態様または特徴が、多くのモバイル・デバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本開示で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、信号によって、ローカル・システムや分散システム内の他の構成要素とインタラクトする、および／または、例えばインターネットやその他のタイプのパケット交換ネットワークのようなネットワークを介してその他のシステムとインタラクトする、１つの構成要素からのデータのような、１または複数のデータ・パケットを有する信号にしたがって、ローカル処理および／またはリモート処理によって通信することができる。
【００１０】
さらに、本明細書に記載の無線システム獲得のための方法のさまざまな態様または機能は、標準的なプログラミング技術および／またはエンジニアリング技術を用いた方法、装置、または製造物品として実現されうる。本明細書で使用される用語「製造物品」は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取な可能な媒体を表すことができる。用語「機械読取可能な媒体」は、限定されることなく、無線チャネル、および、命令群および／またはデータを格納、包含、および／または搬送することができるその他任意の媒体を含みうる。
【００１１】
図１は、第１のラジオ・アクセス・ネットワーク１１０および第２のラジオ・アクセス・ネットワーク１２０の構成１００を示す。一般に、ＲＡＮ１１０およびＲＡＮ１２０は、任意の２つの異なるラジオ・アクセス技術を利用しうる。明確化のために、以下の記載の多くは、ＲＡＮ１１０が、例えばＧＳＭシステムのような狭帯域システムであり、ＲＡＮ１２０が、例えばｃｄｍａ２０００、ＷＣＤＭＡ、ＥＶ−ＤＯ、ＷｉＭＡＸ、または、その他の広帯域無線通信システムのような広帯域システムである、と仮定する。用語「ＷＣＤＭＡ」および「ＵＭＴＳ」は、しばしば置換可能に使用される。ＧＳＭシステム１１０は、音声サービスと、低−中レート・パケット・データ・サービスを提供しうる２Ｇラジオ・アクセス技術（ＲＡＴ）でありうる。システム１１０はさらにＥＤＧＥシステムを含みうる。これは、例えばより高いデータ・レート、音声とデータとの同時コール等のような高度なサービスおよび機能を提供しうる３Ｇ  ＧＳＭ  ＲＡＮである。１つの態様では、ＲＡＮ１１０およびＲＡＮ１２０は、パブリック・ランド・モバイル・ネットワーク（ＰＬＭＮ）の一部であり、オーバラップする有効通信範囲エリアを有しうる。
【００１２】
一般に、ＲＡＮ１１０およびＲＡＮ１２０は、例えばインターネットまたは公衆交換電話網（ＰＳＴＮ：public switched telephone network）のような有線パケット交換データ・ネットワークへのラジオ・アクセスをモバイル・デバイス１０５に提供する。この目的のために、ＧＳＭ  ＲＡＮ１１０は、ＧＳＭシステムの有効通信範囲エリア内のモバイル・デバイス１０５と通信するラジオ基地局１１２を含みうる。ＲＡＮ１２０は、有効通信範囲エリア・ネットワーク１２０内のモバイル・デバイス１０５と通信するノードＢ１２２を含みうる。基地局１０４およびノードＢ１０６は、モバイル・デバイス１０５とのラジオ・リンクの確立、維持、および終了を容易にし、これらネットワークに出入りするモバイル・デバイス１０５のためのラジオ・リソース管理およびモビリティ管理を提供する。基地局１１２およびノードＢ１２２は、一般に、複数のアンテナ・グループ、および／または、モバイル・デバイス１１５とのラジオ信号送受信に関連付けられた複数の構成要素（例えば、プロセッサ、変調器、マルチプレクサ、アンテナ等（図示せず））を備えうる送信機／受信機チェーンを含む固定局である。基地局１１２およびノードＢ１２２はまた、イボルブド・ノードＢ、アクセス・ポイント、その他として称されうる。以下の記載では、基地局１１２はＧＳＭセルとも称されうる。
【００１３】
１つの態様では、モバイル・デバイス１０５は、セルラ電話、コードレス電話、セッション開始プロトコル（ＳＩＰ）電話、携帯情報端末（ＰＤＡ）、無線接続機能を有するハンドヘルド・デバイス、無線モデムを備えたラップトップ・コンピュータ、または、無線モデムまたはセルラ・ネットワーク・カードに接続されたその他の処理デバイスを含みうる。モバイル・デバイス１０５は、いくつかの異なるラジオ・アクセス・ネットワーク１１０、１２０にアクセスするように動作可能なマルチ・モード通信デバイスでありうる。さまざまな態様では、モバイル・デバイス１０５は、例えばウェブ・ブラウジング、ボイス・オーバＩＰ（ＶｏＩＰ）、ＩＰ−ＴＶ、マルチメディア・ストリーミング、ファイル・ダウンロード、および、その他のタイプのサービスのようなブロードバンド・インターネット・サービスを含む、データ・サービス、音声サービス、および、ビデオ・サービスをサポートしうる。デバイス１０５はまた、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。
【００１４】
ＲＡＮ１１０およびＲＡＮ１２０はおのおの、周波数帯域内の１または複数の周波数チャネルで動作しうる。「周波数帯域」および「周波数スペクトル」という用語は、しばしば置換可能に使用される。図２は、ＧＳＭシステムとＷＣＤＭＡシステムとのために一般に使用されるいくつかの周波数帯域のテーブル２００を示す。その他の周波数帯域もＧＳＭおよびＷＣＤＭＡのために使用されうる。セルラ帯域およびＰＣＳ帯域は、一般に、米国で使用され、ＩＭＴ−２０００帯域およびＧＳＭ１８００帯域は、一般に、欧州で使用される。例えばｃｄｍａ２０００、ＥＶ−ＤＯ、ＷｉＭＡＸおよびその他のような多くの無線通信システムは、ＧＳＭシステムおよびＷＣＤＭＡシステムと同じ周波数スペクトルにおいて展開されうることが注目されるべきである。
【００１５】
より具体的には、ＧＳＭシステム１１０は、テーブル２００に示される周波数帯域のうちの何れか１つ、または、その他の周波数帯域において動作しうる。これら周波数帯域は、ＧＳＭ帯域として集合的に称される。ＧＳＭ帯域はそれぞれ、多くの２００ｋＨｚのラジオ周波数（ＲＦ）チャネルをカバーする。ＲＦチャネルはそれぞれ、特定の絶対ラジオ周波数チャンネル番号（ＡＲＦＣＮ：absolute radio frequency channel number）によって識別される。ＲＦチャネルは、ＧＳＭチャネルおよび周波数チャネルとも称されうる。ＧＳＭシステム１１０は、特定のＧＳＭ帯域内の特定のセットのＲＦチャネルで動作しうる。
【００１６】
ＷＣＤＭＡシステム１２０は、例えば、テーブル２００に示される周波数帯域のうちの何れか１つ、または、その他いくつかの周波数帯域において動作しうる。これら周波数帯域は、ＵＭＴＳ帯域として集合的に称される。ＵＭＴＳ帯域はそれぞれ、約５ＭＨｚ間隔で配置された多くのＵＭＴＳチャネルをカバーしうる。ＵＭＴＳチャネルはそれぞれ、３．８４ＭＨｚの帯域幅と、２００ＫＨｚ分解能で与えられる中心周波数を持っている。ＵＭＴＳチャネルはそれぞれ、ＵＴＲＡＮ  ＡＲＦＣＮ（ＵＡＲＦＣＮ）でありうる特定のチャンネル番号によって識別される。ＵＭＴＳチャネルは、ＷＣＤＭＡチャネル、ＵＴＲＡＮ周波数、および周波数チャネルとも称されうる。ＷＣＤＭＡシステムは１または複数の特定のＵＡＲＦＣＮで動作しうる。
【００１７】
上述したように、例えばｃｄｍａ２０００、ＥＶ−ＤＯ、ＷｉＭＡＸおよびその他のような他の無線通信技術は、ＧＳＭシステム１１０と同じ周波数スペクトルで動作しうる。ｃｄｍａ２０００  １ｘシステムはまた、９５０／１８００ｋＨｚの周波数帯域内で動作し、約１．２５ＭＨｚのチャネル帯域幅を有する。またｃｄｍａ２０００  ３ｘネットワークまたはＥＶ−ＤＯネットワークは、１８００ｋＨｚの周波数帯域内で動作し、約３．７５ＭＨｚのチャネル帯域幅を有する。ＷｉＭＡＸネットワークは、約１．２５ＭＨｚ乃至２０ＭＨｚのチャネル帯域幅を有する。
【００１８】
１つの態様では、モバイル・デバイス１０５は、ＧＳＭネットワーク１１０のみで動作するように構成される。モバイル・デバイス１０５は、電力が投入されたり、または、有効通信範囲を喪失すると、モバイル・デバイス１０５が通信サービスを受信することができる、ＧＳＭネットワーク１１０のうちの適切なセルを求めて探索しうる。用語「セル」は、この用語が使用されるコンテキストに依存して、ＧＳＭ基地局１１２および／またはＧＳＭ基地局１１２の有効通信範囲エリアを称しうる。適切なＧＳＭセルを発見すると、モバイル・デバイス１０５は、必要であれば、獲得したＲＡＮ１１０への登録を実行しうる。その後、モバイル・デバイス１０５は、アイドル・モードにあり、ＲＡＮ１１０とアクティブに通信していないのであれば、このセルに「キャンプ」オンしうる。
【００１９】
モバイル・デバイス１０５がキャンプしたラジオ・アクセス・ネットワークは、サービス提供ネットワークと称され、モバイル・デバイス１０５がキャンプしたセルは、サービス提供セルと称される。
【００２０】
１つの態様では、モバイル・デバイス１０５は、以下のように、ＧＳＭ周波数帯域を求める探索を実行しうる。すなわち、この周波数帯域において、電力スキャンを行い、おのおののＧＳＭチャネルの受信信号レベルを測定し、強いＧＳＭチャネルを識別し、強いＧＳＭチャネルおのおのにおける獲得を試み、獲得したＧＳＭチャネルのリストをレポートする。モバイル・デバイス１０５は、電力スキャンから、周波数帯域におけるおのおののＧＳＭチャネルについて、受信信号レベルを取得しうる。用語「受信信号レベル」、「受信信号強度」、「受信信号強度インジケータ」、「ＲＳＳＩ」「受信電力」、「受信信号符号電力」、および「ＲＳＣＰ」は、置換可能に使用されうる。モバイル・デバイス１０５は、それぞれのチャネルに対応して検出された電力に基づいてＧＳＭ  ＡＲＦＣＮをランク付けしうる。モバイル・デバイス１０５は、獲得のための強いＧＳＭチャネル（例えば、検出しきい値よりも高い受信信号レベルを持つもの）を選択し、残りの弱いＧＳＭチャネルを破棄しうる。モバイル・デバイス１０５は、（ｉ）周波数訂正チャネル（ＦＣＣＨ：Frequency Correction Channel）で送信されたトーンを求めて検出すること、（ｉｉ）ＧＳＭセルのための基地トランシーバ局識別符号（ＢＳＩＣ：base transceiver station identity code）を取得するために、同期チャネル（ＳＣＨ：Synchronization Channel）で送信されたバーストを復号すること、および、（ｉｉｉ）システム情報タイプ２クオータ（ＳＩ２ｑｕａｒｔｅｒ：System Information Type 2quarter）メッセージ、タイプ３（ＳＩ３）メッセージ、タイプ４（ＳＩ４）メッセージ、および／または、その他のメッセージを取得するために、ブロードキャスト制御チャネル（ＢＣＣＨ：Broadcast Control Channel）を復号することによって、強いＧＳＭチャネルを求める獲得を実行しうる。ＳＩ２クオータ・メッセージは、測定パラメータおよびレポート・パラメータ、および／または、近隣セルに関する情報を含む。ＳＩ３メッセージおよびＳＩ４メッセージは、送信元のセルおよびそのＧＳＭ  ＰＬＭＮに関する情報を含む。ＧＳＭ探索は、ゼロ、１、または複数の獲得されたＧＳＭチャネルのリストを提供しうる。
【００２１】
しかしながら、例えばｃｄｍａ２０００、ＷＣＤＭＡ、ＥＶ−ＤＯ、またはＷｉＭＡＸシステムのような、並列する非ＧＳＭベースのラジオ・アクセス・ネットワーク１２０が、ＧＳＭネットワーク１１０と同じ周波数スペクトルで展開されている場合、ＲＡＮ１２０の電力は、ＲＡＮ１１０のＧＳＭチャネルの電力よりも高くなるであろうことがある。このような場合、モバイル・デバイス１０５は、ＧＳＭセルを発見する前に、別の技術の１または複数のセルの電力スキャンを実行するであろう。これによって、ＧＳＭサービスを発見するために使用される時間が長くなり、ユーザの使い勝手が低下する。この問題を克服するために、モバイル・デバイス１０５は、電力が投入されている間、あるいは、ローミングしている場合、例えばＷＣＤＭＡ、ｃｄｍａ２０００、ＥＶ−ＤＯ、ＷｉＭＡＸ、およびその他のような非ＧＳＭ技術に対応する信号を識別するように構成されうる。これら信号は、比較的狭帯域のＧＳＭ信号と比較された場合、広帯域信号と称されうる。モバイル・デバイス１０５はさらに、このような広帯域信号を、チャネル獲得の考慮から除外するように構成されうる。この結果、ＧＳＭネットワーク１１０のフル・サービスを獲得するために要される時間が、著しく短縮されうる。
【００２２】
さらに詳しくは、モバイル・デバイス１０５が、ＧＳＭ周波数スペクトルをスキャンしている場合、検出された信号は、例えばｃｄｍａ２０００、ＷＣＤＭＡ、ＥＶ−ＤＯ、ＷｉＭＡＸ、またはその他の広帯域システムのようなＲＡＮ１０２からの広帯域信号のような非ＧＳＭ信号と、ＧＳＭ信号とを含みうる。図３は、ＧＳＭネットワークと同じ周波数帯域で動作する、並列するさまざまなネットワークからの複数の信号を含むサンプルＧＳＭ周波数スペクトルの図解３０５を示す。モバイル・デバイス１０５は、これら信号を検出し、これら信号をまず、複数の狭帯域ＧＳＭチャネルとして特徴付ける。一般に、広帯域信号は、ＧＳＭ信号のチャネル帯域幅よりも広いチャネル帯域幅を有しうる。例えば、多くのＧＳＭチャネルは、広帯域技術または非ＧＳＭ技術の単一チャネル内にある。さらに、非ＧＳＭ信号は、ＧＳＭ信号より強くなりうる。このため、モバイル・デバイス１０５に対して、多くの隣接ＧＳＭチャネルを表しているように見える信号は、実質的に同じ電力レベルを有するであろう。これは、多くの隣接ＧＳＭチャネルにおよぶ周波数帯域幅を有する非ＧＳＭ信号の電力レベルである。
【００２３】
例えば、ＧＳＭチャネルは、約２００ｋＨｚの範囲の帯域幅を有する。一方、ＵＭＴＳチャネルは、約５ＭＨｚ帯域幅の範囲の帯域幅を有する。これは、約２５のＧＳＭチャネルにおよぶであろう。一方、ＣＤＭＡチャネルは、約１．２５ＭＨｚ帯域幅の範囲の帯域幅を有する。これは、約７のＧＳＭチャネルにおよぶであろう。このため、モバイル・デバイス１０５が、ＵＭＴＳチャネルに対応する信号を検出した場合、このような信号は、実質的に等しい電力を持つ２５の隣接ＧＳＭチャネルのように見えうる。同様に、例えば、モバイル・デバイス１０５がＣＤＭＡチャネルに対応する信号を検知した場合、このような信号は、実質的に等しい電力を持つ７つの隣接ＧＳＭチャネルのように見えうる。
【００２４】
したがって、１つの態様では、モバイル・デバイス１０５は、非ＧＳＭシステム１２０からの広帯域信号を識別し、識別された信号を、ＧＳＭネットワーク１１０からの狭帯域ＧＳＭ信号と分離しうる。例えば、図解３１０に示すように、モバイル・デバイス１０５は、単一の広帯域ＣＤＭＡチャネルと同等の１．２５ＭＨｚ範囲にわたる電力を持つ７つの隣接狭帯域信号を識別しうる。また、図解３１５に示すように、必要とされるチャネル間隔をＧＳＭチャネルが有していると仮定すると、モバイル・デバイス１０５は、ＧＳＭチャネルのように、異なる電力を有する、検出された狭帯域信号の残りのセットを識別しうる。通常、ＧＳＭネットワークは、同じエリア内のキャリアの間に３つのチャネル分離を必要とする。これは、同一チャネル干渉（ＣＣＩ：co-channel interference）、隣接チャネル干渉（ＡＣＩ：adjacent channel interference）およびＧＳＭチャネルを制限するためである。したがって、モバイル・デバイスは、ＧＳＭチャネルおよび非ＧＳＭチャネルを識別すると、非ＧＳＭチャネルを破棄し、ＧＳＭチャネルのみの獲得を続けうる。
【００２５】
モバイル・デバイス１０５は、このようにしてＧＳＭチャネルおよび非ＧＳＭチャネルを識別すると、非ＧＳＭチャネルについての周波数訂正チャネル（ＦＣＣＨ）および同期チャネル（ＳＣＣＨ）の復号をスケジュールする必要がないので、もって、ＧＳＭサービス獲得における時間が節約される。例えば、ＦＣＨ／ＳＣＨ検出はそれぞれ有限時間（〜１００ミリ秒）を要するので、モバイル・デバイスが例えば、（おのおののＣＤＭＡチャネルが約７つのＧＳＭチャネルをカバーする）２つのＣＤＭＡキャリアと、（おのおののＵＴＭＳチャネルが約２５のＧＳＭチャネルをカバーする）２つのＵＭＴＳキャリアとを無視するのであれば、モバイル・デバイスによって節約される時間は、電力が投入されている間、約６．４秒｛（２＊７）＋（２＊２５）＊１００ミリ秒｝となる。これは、大幅な改善である。
【００２６】
別の態様では、モバイル・デバイス１０５は、広帯域信号が存在していたのはどの技術であるかを予測し、適切な動作を講じるように構成されうる。言い換えれば、モバイル・デバイス１０５は、実質的に同じ電力を有する多くの隣接ＧＳＭチャネルの帯域幅を判定し、判定された帯域幅が帯域幅技術に相関しているかを判定しうる。例えば、５ＭＨｚの周波数範囲にわたって実質的に同じ電力を有する２５の隣接ＧＳＭチャネルがある場合、モバイル・デバイス１０５は、これら２５の隣接チャネルの帯域幅が、単一のＷＣＤＭＡチャネルの帯域幅に相当すると判定しうる。その後、モバイル・デバイス１０５は、これら２５の信号が、２５のＧＳＭチャネルではなく、ＷＣＭＡチャネルに対応するものと仮定して、例えば、この５ＭＨｚの周波数範囲を考慮しないことによって、これら２５の信号を破棄しうる。さらに、モバイル・デバイス１０５は、典型的なチャネル帯域幅および間隔を考慮し、同様に、サンプルのスペクトルから、追加の広帯域信号をフィルタしうる。同じ概念は、ＧＳＭネットワークと同じ周波数スペクトルにおいて動作するその他の無線通信システムのためにも使用されうる。
【００２７】
図４は、ラジオ・アクセス・ネットワークからの信号獲得を最適化するための方法の一例を例示する。ステップ４１０において、モバイル・デバイスは、ラジオ・アクセス・ネットワーク信号を求めてラジオ周波数スペクトルをスキャンする。ステップ４２０において、モバイル・デバイスは、第１のチャネル帯域幅を有する第１のネットワーク・タイプからなる複数のチャネルに対応する複数の信号を検出する。ステップ４３０において、モバイル・デバイスは、複数のチャネルのおのおのにおいて検出された信号の電力レベルを判定する。ステップ４４０において、モバイル・デバイスは、第１の周波数範囲内で実質的に等しい電力を有する複数の信号のうちの何れかを破棄して、複数の信号の残りのセットを規定する。態様では、この第１の周波数範囲は、例えばＷＣＤＭＡ、ｃｄｍａ２０００、ＥＶ−ＤＯ、またはＷｉＭＡＸネットワークのような広帯域ネットワークのうちの１または複数の広帯域チャネル帯域幅のような、第２のネットワーク・タイプの第２のチャネル帯域幅に対応する。この態様では、第２のチャネル帯域幅は、第１のチャネル帯域幅よりも広い。複数の信号のうちの残りのセットは、約２００ｋＨｚのチャネル帯域幅を有するＧＳＭネットワークの複数の絶対ラジオ周波数チャンネル番号（ＡＲＦＣＮ）に対応する。ステップ４５０において、モバイル・デバイスは、判定された電力レベルに基づいて、複数の信号のうちの残りのセットをランク付けする。ステップ４６０において、モバイル・デバイスは、このランク付けに基づいて、獲得のために、複数の信号のうちの残りのセットのうちの１つを選択する。ステップ４７０において、モバイル・デバイスは、新たなチャネルを獲得するために、複数の信号のうちの残りのセットのうちの少なくとも１つに対応する周波数訂正チャネル（ＦＣＣＨ）および同期チャネル（ＳＣＣＨ）の復号を実行する。
【００２８】
図５は、本明細書に開示された方法にしたがって、ＲＡＮ信号獲得を実行するように動作可能なモバイル・デバイス５００の例を例示する。モバイル・デバイス５００は、他の機能と同様、本明細書に開示された方法にしたがって、信号獲得に関連付けられた処理機能を実行するプロセッサ５１０を含んでいる。プロセッサ５１０は、複数のプロセッサからなる単一のセットまたは複数のセットであるか、あるいは、マルチ・コア・プロセッサを含みうる。１つの態様の例では、プロセッサ５１０は、ラジオ・アクセス・ネットワーク信号を求めてラジオ周波数スペクトルをスキャンするための手順を実施するスキャニング・モジュール５６０を含みうる。プロセッサ５１０はまた、第１のチャネル帯域幅を有する、例えばＧＳＭネットワークのような第１のタイプのネットワークの複数のチャネルに対応する複数の信号を検出する信号検出モジュール５６５を含みうる。プロセッサ５１０はさらに、複数のチャネルのおのおのにおいて検出された信号の電力レベルを判定する電力レベル判定モジュール５７０を含みうる。プロセッサ５１０はさらに、第１の周波数範囲内で実質的に等しい電力を有する複数の信号のうちの何れかを破棄するか否かを判定し、複数の信号のうちの残りのセットを規定する破棄モジュール５７５を含む。ここで、第１の周波数範囲は、例えばＷＣＤＭネットワークのような第２のネットワーク・タイプの第２のチャネル帯域幅に対応し、第２のチャネル帯域幅は、第１のチャネル帯域幅よりも広い。プロセッサ５１０はまた、判定された電力レベルに基づいて、複数の信号のうちの残りのセットをランク付けするための手順を実施するランク付けモジュール５８０を含む。プロセッサ５１０はさらに、このランク付けに基づいて、獲得のために、複数の信号のうちの残りのセットのうちの１つを選択する選択モジュール５８５を含む。
【００２９】
モバイル・デバイス５００はさらに、プロセッサ５１０に接続され、プロセッサ５１０によって実行されるＲＡＮ信号獲得のためのプログラム命令群を格納するためのメモリ５２０を含む。メモリ５２０は、例えば、ランダム・アクセス・メモリ（ＲＡＭ）、読取専用メモリ（ＲＯＭ）、磁気ディスク、光ディスク、揮発性メモリ、不揮発性メモリ、およびこれらの任意の組み合わせのように、コンピュータによって使用可能な任意のタイプのメモリを含みうる。それに加えて、モバイル・デバイス５００はさらに、プロセッサ５１０に接続されたデータ・ストア５３０を含む。データ・ストア５３０は、ハードウェアおよび／またはソフトウェアの任意の適切な組み合わせであることができ、本明細書に記載された態様に関連して適用されるプログラム、データベース、および情報の大容量記憶を提供する。例えば、データ・ストア５３０は、プロセッサ５１０によって現在実行されていないプログラムまたはサブルーチンのためのデータ・レポジトリでありうるのみならず、ＲＡＮ信号獲得および関連付けられたさまざまなデータのためのアルゴリズムを含むファイルでありうる。
【００３０】
さらに、モバイル・デバイス５００は、プロセッサ５１０に接続され、本明細書に記載されたようなさまざまなラジオ・アクセス・ネットワークとの通信を探索し、確立し、維持するための通信構成要素５４０を含む。例えば、通信構成要素５４０は、さまざまなラジオ・アクセス技術およびプロトコルの無線通信システムおよびデバイスとインタフェースするように動作可能な送信機および受信機にそれぞれ関連付けられた送信チェーン構成要素と受信チェーン構成要素とを含みうる。データ送信モジュール５９０は、通信構成要素５４０に対して、例えばＧＳＭ、ＷＣＤＭＡ、およびその他のネットワークのような１または複数のラジオ・アクセス・ネットワークとの間でデータを送信／受信するように指示する。
【００３１】
モバイル・デバイス５００は、システム・アドミニストレータからの入力を受信するように動作可能で、さらに、システム・アドミニストレータへ提示するための出力を生成するように動作可能なユーザ・インタフェース構成要素５５０を含みうる。構成要素５５０は、限定される訳ではないが、キーボード、テンキー、マウス、タッチ画面、ナビゲーション・キー、ファンクション・キー、マイクロホン、音声認識構成要素、ユーザからの入力を受信可能なその他のメカニズム、あるいはこれらの任意の組み合わせを含む１または複数の入力デバイスを含みうる。さらに、構成要素５５０は、限定される訳ではないが、ディスプレイ、スピーカ、触覚型フィードバック・メカニズム、プリンタ、ユーザに出力を提示することが可能なその他任意のメカニズム、またはこれらの任意の組み合わせを含む１または複数の出力デバイスを含みうる。
【００３２】
図６は、モバイル・デバイスにおいて実装されうるシステム６００を例示する。図示するように、システム６００は、プロセッサ、ソフトウェア、または（例えば、ファームウェアのような）これらの組み合わせによって実現される機能を表しうる機能ブロックを含む。システム６００は、本明細書に開示されたようなＲＡＮ信号獲得のためのアルゴリズムの実行を容易にする電子構成要素の論理グループ６１０を含む。論理グループ６１０は、ラジオ・アクセス・ネットワーク信号を求めてラジオ周波数スペクトルをスキャンする手段６２０を含みうる。さらに、論理グループ６１０は、第１のチャネル帯域幅を有する第１のネットワーク・タイプの複数のチャネルに対応する複数の信号を検出する手段６３０を含む。さらに、論理グループ６１０は、複数のチャネルのおのおのにおいて検出された信号の電力レベルを判定する手段６４０を含む。さらに、論理グループ６１０は、第１の周波数範囲内で実質的に等しい電力を有する複数の信号のうちの何れかを破棄し、複数の信号のうちの残りのセットを規定する手段６５０を含む。ここで、第１の周波数範囲は、第２のネットワーク・タイプの第２のチャネル帯域幅に対応し、第２のチャネル帯域幅は、第１のチャネル帯域幅よりも広い。さらに、論理グループ６１０は、判定された電力レベルに基づいて、複数の信号のうちの残りのセットをランク付けするための手段６６０を含む。最後に、論理グループ６１０は、このランク付けに基づいて、獲得のために、複数の信号のうちの残りのセットのうちの１つを選択する手段６７０を含む。システム６００はまた、電子構成要素６２０−６７０に関連付けられた機能を実行するための命令群を保持するメモリ６６０を含む。メモリ６６０の外側にあるとして示されているが、電子構成要素６２０−６７０は、システム６００のメモリ６８０内に存在しうることが理解されるべきである。
【００３３】
図７は、ＲＡＮ信号獲得のための方法のさまざまな態様が実現される無線通信システム７００の例を示す。このシステム７００は、簡略のために、ラジオ・アクセス・ネットワーク内の１つの基地局／順方向リンク送信機７１０と、１つのモバイル・デバイス７５０しか示していない。しかしながら、システム７００は、１より多い基地局／順方向リンク送信機および／または１より多いモバイル・デバイスを含むことができ、ここでは、追加の基地局／送信機および／またはモバイル・デバイスが、後述する基地局／順方向リンク送信機６１０およびモバイル・デバイス７５０の例と実質的に類似しているか、または、異なりうることが認識されるべきである。さらに、基地局／順方向リンク送信機７１０および／またはモバイル・デバイス７５０は、その間のレイテンシ測定手順および無線通信を容易にするために、本明細書に記載されたシステム（図１、５および６）および／または方法（図４）を適用しうることが認識されるべきである。
【００３４】
基地局／順方向リンク送信機７１０では、多くのデータ・ストリームのトラフィック・データが、データ・ソース７１２から送信（ＴＸ）データ・プロセッサ７１４へ提供される。一例によれば、おのおののデータ・ストリームが、それぞれのアンテナを介して送信される。ＴＸデータ・プロセッサ７１４は、トラフィック・データ・ストリームをフォーマットし、このデータ・ストリームのために選択された特定の符号化スキームに基づいて符号化し、インタリーブして、符号化されたデータを提供する。
【００３５】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス７５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ７３０によって実行または提供される命令によって決定されうる。
【００３６】
データ・ストリームの変調シンボルは、（例えば、ＯＦＤＭのために）変調シンボルを処理するＴＸ  ＭＩＭＯプロセッサ７２０に提供される。ＴＸ  ＭＩＭＯプロセッサ７２０はその後、ＮＴ個の変調シンボル・ストリームを、ＮＴ個の送信機（ＴＭＴＲ）７２２ａ乃至７２２ｔへ提供する。さまざまな態様において、ＴＸ  ＭＩＭＯプロセッサ７２０は、データ・ストリームのシンボルへ、および、シンボルが送信されるアンテナへ、ビームフォーミング重みを適用する。
【００３７】
おのおのの送信機７２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機７２２ａ乃至７２２ｔからのＮＴ個の変調信号は、ＮＴ個のアンテナ７２４ａ乃至７２４ｔそれぞれから送信される。
【００３８】
モバイル・デバイス７５０では、送信された変調信号が、ＮＲ個のアンテナ７５２ａ乃至７５２ｒによって受信され、各アンテナ７５２から受信された信号が、それぞれの受信機（ＲＣＶＲ）７５４ａ乃至７５４ｒへと提供される。おのおのの受信機７５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３９】
ＲＸデータ・プロセッサ７６０は、ＮＲ個の受信機７５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ７６０は、検出されたおのおののシンボル・ストリームを復調し、デインタリーブし、復号して、そのデータ・ストリームのためのトラフィック・データを復元する。ＲＸデータ・プロセッサ７６０による処理は、基地局／順方向リンク送信機７１０におけるＴＸ  ＭＩＭＯプロセッサ７２０およびＴＸデータ・プロセッサ７１４によって行なわれるものに対して相補的である。
【００４０】
プロセッサ７７０は、上述したように、どのプリコーディング行列を使用するのかを定期的に決定する。さらに、プロセッサ７７０は、行列インデクス部およびランク値部を備えた逆方向リンク・メッセージを規定することができる。
【００４１】
逆方向リンク・メッセージは、通信リンクおよび／または受信されたデータ・ストリームに関するさまざまなタイプの情報を備えうる。逆方向リンク・メッセージは、データ・ソース７３６からの多くのデータ・ストリームのトラフィック・データをも受信するＴＸデータ・プロセッサ７３８によって処理され、変調器７８０によって変調され、送信機７５４ａ乃至７５４ｒによって調整され、基地局／順方向リンク送信機７１０へ送り戻される。
【００４２】
基地局／順方向リンク送信機７１０では、モバイル・デバイス７５０からの調整された信号が、アンテナ７２４によって受信され、受信機７２２によって調整され、復調器７４０によって復調され、ＲＸデータ・プロセッサ７４２によって処理されることによって、モバイル・デバイス７５０によって送信された逆方向リンク・メッセージが抽出される。さらに、プロセッサ７３０は、ビームフォーミング重みを決定するためにどのプリコーディング行列を使用するかを決定するために、この抽出されたメッセージを処理する。データは、順方向リンクによってのみブロードキャストされるので、順方向リンク送信機７１０の場合、基地局とは逆に、これらのＲＸ構成要素は存在しないことが認識されるべきである。
【００４３】
プロセッサ７３０およびプロセッサ７７０は、基地局／順方向リンク送信機７１０およびモバイル・デバイス７５０それぞれにおける動作を指示（例えば、制御、調整、管理等）しうる。プロセッサ７３０およびプロセッサ７７０はそれぞれ、プログラム・コードおよびデータを格納するメモリ７３２およびメモリ７７２に関連付けられうる。プロセッサ７３０およびプロセッサ７７０はまた、アップリンクおよびダウンリンクそれぞれのための周波数およびインパルス応答推定値を導出する計算をも実行する。
【００４４】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００４５】
これら態様が、ソフトウェア、ファームウェア、ミドルウェアまたはマイクロコード、プログラム・コードまたはコード・セグメントにおいて実現される場合、それらは、例えばストレージ構成要素のような機械読取可能な媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００４６】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサの内部またはプロセッサの外部に実装される。プロセッサの外部に実装される場合、当該技術分野で周知のさまざまな手段によって、プロセッサへ通信可能に接続されうる。
【００４７】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００４８】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００４９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００５０】
前述した開示は、例示的な態様および／または実施形態を開示しているが、さまざまな変更および修正が、特許請求の範囲で定義されたような説明された態様および／または実施形態の範囲から逸脱することなくなされうる  ことが注目されるべきである。さらに、説明された態様の構成要素は、単数形で記載または特許請求されているが、もしも単数であると明示的に述べられていないのであれば、複数が考慮される。それに加えて、それ以外であると述べられていないのであれば、任意の態様のうちのすべてまたは一部が、その他任意の態様のすべてまたは一部とともに利用される。
以下に本願発明の当初の特許請求の範囲に記載された発明を付記する。
［Ｃ１］
ラジオ・アクセス・ネットワークからの信号獲得を最適化するモバイル・デバイスのための方法であって、
ラジオ・アクセス・ネットワーク信号を求めてラジオ周波数スペクトルをスキャンすることと、
第１のチャネル帯域幅を有する第１のネットワーク・タイプの複数のチャネルに対応する複数の信号を検出することと、
前記複数のチャネルのおのおのにおいて検出された信号の電力レベルを判定することと、
第１の周波数範囲内で実質的に等しい電力を有する前記複数の信号のうちの何れかを破棄し、前記複数の信号のうちの残りのセットを規定することと、ここで、前記第１の周波数範囲は、第２のネットワーク・タイプの第２のチャネル帯域幅に対応し、前記第２のチャネル帯域幅は、前記第１のチャネル帯域幅よりも広い、
前記判定された電力レベルに基づいて、前記複数の信号のうちの残りのセットをランク付けすることと、
前記ランク付けに基づいて、獲得のために、前記複数の信号のうちの残りのセットのうちの１つを選択することと、を備える方法。
［Ｃ２］
前記検出することはさらに、２００ｋＨｚの第１のチャネル帯域幅を有するＧＳＭネットワークの複数の絶対ラジオ周波数チャンネル番号（ＡＲＦＣＮ：Absolute Radio Frequency Channel Numbers）に対応する複数の信号を検出することを備え、
前記第２のチャネル帯域幅は、約１．２５ＭＨｚよりも広い、請求項１に記載の方法。
［Ｃ３］
新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行すること、をさらに備える請求項１に記載の方法。
［Ｃ４］
前記検出することはさらに、２００ｋＨｚの第１のチャネル帯域幅を有するＧＳＭネットワークの複数の絶対ラジオ周波数チャンネル番号（ＡＲＦＣＮ）に対応する複数の信号を検出することを備え、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１に記載の方法。
［Ｃ５］
前記第１の周波数範囲を決定することと、
前記第１の周波数範囲が、複数の第２のネットワーク・タイプのうちの１つの、複数の第２のチャネル帯域幅のうちの１つに対応するかを判定することと、をさらに備え、
前記複数の第２のネットワーク・タイプのおのおのは、異なるタイプの非ＧＳＭネットワークを備える、請求項１に記載の方法。
［Ｃ６］
前記第１の周波数範囲と前記第２のチャネル帯域幅との間の相関に基づいて、前記第２のネットワーク・タイプを識別すること、をさらに備える請求項１に記載の方法。
［Ｃ７］
通信デバイスであって、
プロセッサと、前記プロセッサに接続された通信構成要素とを備え、
前記プロセッサは、
ラジオ・アクセス・ネットワーク信号を求めてラジオ周波数スペクトルをスキャンし、
第１のチャネル帯域幅を有する第１のネットワーク・タイプの複数のチャネルに対応する複数の信号を検出し、
前記複数のチャネルのおのおのにおいて検出された信号の電力レベルを判定し、
第１の周波数範囲内で実質的に等しい電力を有する複数の信号のうちの何れかを破棄し、前記複数の信号のうちの残りのセットを規定し、ここで、前記第１の周波数範囲は、第２のネットワーク・タイプの第２のチャネル帯域幅に対応し、前記第２のチャネル帯域幅は、前記第１のチャネル帯域幅よりも広い、
前記判定された電力レベルに基づいて、前記複数の信号のうちの残りのセットをランク付けし、
前記ランク付けに基づいて、獲得のために、前記複数の信号のうちの残りのセットのうちの１つを選択する、ように構成された通信デバイス。
［Ｃ８］
複数の信号を検出するために、前記プロセッサはさらに、２００ｋＨｚの第１のチャネル帯域幅を有するＧＳＭネットワークの複数の絶対ラジオ周波数チャンネル番号（ＡＲＦＣＮ）に対応する複数の信号を検出するように構成され、
前記第２のチャネル帯域幅は、約１．２５ＭＨｚよりも広い、請求項７に記載のデバイス。
［Ｃ９］
前記プロセッサはさらに、新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行するように構成された、請求項７に記載のデバイス。
［Ｃ１０］
複数の信号を検出するために、前記プロセッサはさらに、
２００ｋＨｚの第１のチャネル帯域幅を有するＧＳＭネットワークの複数の絶対ラジオ周波数チャンネル番号に対応する複数の信号を検出するように構成され、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項７に記載のデバイス。
［Ｃ１１］
前記プロセッサはさらに、
前記第１の周波数範囲を決定し、
前記第１の周波数範囲が、複数の第２のネットワーク・タイプのうちの１つの、複数の第２のチャネル帯域幅のうちの１つに対応するかを判定する、ように構成され、
前記複数の第２のネットワーク・タイプのおのおのは、異なるタイプの非ＧＳＭネットワークを備える、請求項７に記載のデバイス。
［Ｃ１２］
前記プロセッサはさらに、前記第１の周波数範囲と前記第２のチャネル帯域幅との間の相関に基づいて、前記第２のネットワーク・タイプを識別するように構成された、請求項７に記載のデバイス。
［Ｃ１３］
コンピュータ・プログラム製品であって、
コンピュータに対して、ラジオ・アクセス・ネットワーク信号を求めてラジオ周波数スペクトルをスキャンさせるための第１のコードのセットと、
前記コンピュータに対して、第１のチャネル帯域幅を有する第１のネットワーク・タイプの複数のチャネルに対応する複数の信号を検出させるための第２のコードのセットと、
前記コンピュータに対して、前記複数のチャネルのおのおのにおいて検出された信号の電力レベルを判定させるための第３のコードのセットと、
前記コンピュータに対して、第１の周波数範囲内で実質的に等しい電力を有する複数の信号のうちの何れかを破棄し、前記複数の信号のうちの残りのセットを規定させるための第４のコードのセットと、ここで、前記第１の周波数範囲は、第２のネットワーク・タイプの第２のチャネル帯域幅に対応し、前記第２のチャネル帯域幅は、前記第１のチャネル帯域幅よりも広い、
前記コンピュータに対して、前記判定された電力レベルに基づいて、前記複数の信号のうちの残りのセットをランク付けさせるための第５のコードのセットと、
前記コンピュータに対して、前記ランク付けに基づいて、獲得のために、前記複数の信号のうちの残りのセットのうちの１つを選択させるための第６のコードのセットと、を備えるコンピュータ読取可能な記憶媒体を備える、コンピュータ・プログラム製品。
［Ｃ１４］
前記第２のコードのセットはさらに、
前記コンピュータに対して、２００ｋＨｚの第１のチャネル帯域幅を有するＧＳＭネットワークの複数の絶対ラジオ周波数チャンネル番号（ＡＲＦＣＮ）に対応する複数の信号を検出させるための第７のコードのセットを含み、
前記第２のチャネル帯域幅は、約１．２５ＭＨｚよりも広い、請求項１３に記載のコンピュータ・プログラム製品。
［Ｃ１５］
前記コンピュータに対して、新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行させるための第９のコードのセットをさらに備える、請求項１３に記載のコンピュータ・プログラム製品。
［Ｃ１６］
前記第２のコードのセットはさらに、
前記コンピュータに対して、２００ｋＨｚの第１のチャネル帯域幅を有するＧＳＭネットワークの複数の絶対ラジオ周波数チャンネル番号（ＡＲＦＣＮ）に対応する複数の信号を検出させるための第１０のコードのセットを含み、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１３に記載のコンピュータ・プログラム製品。
［Ｃ１７］
前記コンピュータに対して、前記第１の周波数範囲を決定させるための第１１のコードのセットと、
前記コンピュータに対して、前記第１の周波数範囲が、複数の第２のネットワーク・タイプのうちの１つの、複数の第２のチャネル帯域幅のうちの１つに対応するかを判定させるための第１２のコードのセットと、をさらに備え、
前記複数の第２のネットワーク・タイプのおのおのは、異なるタイプの非ＧＳＭネットワークを備える、請求項１３に記載のコンピュータ・プログラム製品。
［Ｃ１８］
前記コンピュータに対して、前記第１の周波数範囲と前記第２のチャネル帯域幅との間の相関に基づいて、前記第２のネットワーク・タイプを識別させるための第１３のコードのセット、をさらに備える請求項１３に記載のコンピュータ・プログラム製品。
［Ｃ１９］
装置であって、
ラジオ・アクセス・ネットワーク信号を求めてラジオ周波数スペクトルをスキャンする手段と、
第１のチャネル帯域幅を有する第１のネットワーク・タイプの複数のチャネルに対応する複数の信号を検出する手段と、
前記複数のチャネルのおのおのにおいて検出された信号の電力レベルを判定する手段と、
第１の周波数範囲内で実質的に等しい電力を有する複数の信号のうちの何れかを破棄し、前記複数の信号のうちの残りのセットを規定する手段と、ここで、前記第１の周波数範囲は、第２のネットワーク・タイプの第２のチャネル帯域幅に対応し、前記第２のチャネル帯域幅は、前記第１のチャネル帯域幅よりも広い、
前記判定された電力レベルに基づいて、前記複数の信号のうちの残りのセットをランク付けする手段と、
前記ランク付けに基づいて、獲得のために、前記複数の信号のうちの残りのセットのうちの１つを選択する手段と、を備える装置。
［Ｃ２０］
前記検出する手段はさらに、２００ｋＨｚの第１のチャネル帯域幅を有するＧＳＭネットワークの複数の絶対ラジオ周波数チャンネル番号（ＡＲＦＣＮ）に対応する複数の信号を検出する手段を備え、
前記第２のチャネル帯域幅は、約１．２５ＭＨｚよりも広い、請求項１９に記載の装置。
［Ｃ２１］
新たなチャネルを獲得するために、前記複数の信号のうちの残りのセットのうちの少なくとも１つに対応する周波数訂正チャネル（ＦＣＣＨ）および同期チャネル（ＳＣＣＨ）の復号を実行する手段、をさらに備える請求項１９に記載の装置。
［Ｃ２２］
前記検出する手段はさらに、２００ｋＨｚの第１のチャネル帯域幅を有するＧＳＭネットワークの複数の絶対ラジオ周波数チャンネル番号（ＡＲＦＣＮ）に対応する複数の信号を検出する手段を備え、
前記第２のネットワーク・タイプは、５ＭＨｚの第２のチャネル帯域幅を有するＷＣＤＭＡネットワーク、１．２５ＭＨｚの第２のチャネル帯域幅を有するｃｄｍａ２０００  １ｘネットワーク、３．７５ＭＨｚの第２のチャネル帯域幅を有するｃｄｍａ２０００  ３ｘまたはＥＶ−ＤＯネットワーク、または、１．２５ＭＨｚ乃至２０ＭＨｚの第２のチャネル帯域幅を有するＷｉＭＡＸネットワーク、のうちの少なくとも１つを備える、請求項１９に記載の装置。
［Ｃ２３］
前記第１の周波数範囲を決定する手段と、
前記第１の周波数範囲が、複数の第２のネットワーク・タイプのうちの１つの、複数の第２のチャネル帯域幅のうちの１つに対応するかを判定する手段と、をさらに備え、
前記複数の第２のネットワーク・タイプのおのおのは、異なるタイプの非ＧＳＭネットワークを備える、請求項１９に記載の装置。
［Ｃ２４］
前記第１の周波数範囲と前記第２のチャネル帯域幅との間の相関に基づいて、前記第２のネットワーク・タイプを識別する手段、をさらに備える請求項１９に記載の装置。
【図１】
0005456906.tif 000002
【図２】
0005456906.tif 000003
【図３】
0005456906.tif 000004
【図４】
0005456906.tif 000005
【図５】
0005456906.tif 000006
【図６】
0005456906.tif 000007
【図７】
0005456906.tif 000008